【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ｅＮＢによって、第１の無線アクセス技術（ＲＡＴ）を使用して第１の通信リンクを介してユーザ機器（ＵＥ）にサービスされるべき第１のデータフローの第１の断片量を決定することと、
前記ｅＮＢによって、第２のＲＡＴを使用して第２の通信リンクを介して前記ＵＥにサービスされるべき前記第１のデータフローの第２の断片量を決定することと、
前記ｅＮＢによって、前記第１の通信リンクを使用して前記ＵＥに前記第１のデータフローの前記第１の断片量をサービスすることと
を備える、方法。
【請求項２】
前記第１のデータフローの前記第１の断片量または前記第１のデータフローの前記第２の断片量のうちの少なくとも１つが、構成または最適化関数に基づいて決定される、請求項１に記載の方法。
【請求項３】
前記最適化関数が、
データフローの通信リンクへの割当て、
前記第１のＲＡＴおよび前記第２のＲＡＴの各々のチャネル状態、
前記第１のＲＡＴおよび前記第２のＲＡＴの各々のトラフィック状態、
前記第１のＲＡＴおよび前記第２のＲＡＴのリソース、
前記第１の通信リンクおよび前記第２の通信リンクのチャネル負荷、または
前記第１の通信リンク上のデータレートおよびレイテンシと前記第２の通信リンク上のデータレートおよびレイテンシとの間の差のうちの少なくとも１つに基づいている、請求項２に記載の方法。
【請求項４】
前記第１のＲＡＴを使用して前記第１の通信リンクを介して前記ＵＥとの間で前記第１のデータフローに関する制御情報を送信および受信すること、または
前記第２のＲＡＴを使用して前記第２の通信リンクを介して前記ＵＥとの間で前記第１のデータフローに関する前記制御情報を送信および受信すること
をさらに備える、請求項１に記載の方法。
【請求項５】
前記第１のＲＡＴを使用して前記第１の通信リンクを介して前記ＵＥから前記第１のデータフローに関するフィードバック情報を受信すること、
前記第２のＲＡＴを使用して前記第２の通信リンクを介して前記ＵＥから前記第１のデータフローに関する前記フィードバック情報を受信すること、または、
前記第２のＲＡＴから前記第１のデータフローに関する前記フィードバック情報を受信すること
をさらに備える、請求項１に記載の方法。
【請求項６】
前記フィードバック情報が、ＵＥ測定値と第２のＲＡＴ測定値とを含む少なくとも１つのフィードバックメッセージを備える、請求項５に記載の方法。
【請求項７】
前記第１のデータフローの前記第１および第２の断片量が、ベアラ間の比例公平性を使用し得る、システム利用量の最適化に基づいている、請求項１に記載の方法。
【請求項８】
前記第１のＲＡＴを使用して前記第１の通信リンクを介して前記ＵＥによって送信されるべき第２のデータフローの第３の断片量を決定することと、
前記第２のＲＡＴを使用して前記第２の通信リンクを介して前記ＵＥによって送信されるべき前記第２のデータフローの第４の断片量を決定することと、
前記第１の通信リンクを介して前記ＵＥから前記第２のデータフローの前記第３の断片量を受信することと
をさらに備える、請求項１に記載の方法。
【請求項９】
前記第１のデータフローの前記第１および第２の断片量の前記決定を周期的に評価することをさらに備える、請求項１に記載の方法。
【請求項１０】
前記第１および第２の通信リンクのために維持されるトークンバケット機構に基づいて、または分割確率に基づいて、前記第１のデータフローの前記決定された第１および第２の断片量と、前記第２のデータフローの前記決定された第３および第４の断片量とを実装することをさらに備える、請求項８に記載の方法。
【請求項１１】
前記第１のデータフローの前記第１の断片量を決定すること、または前記第１のデータフローの前記第２の断片量を決定することは、前記ＵＥからの報告に少なくとも部分的に基づいている、請求項１に記載の方法。
【請求項１２】
前記第１のデータフローの前記第１の断片量を決定すること、または前記第１のデータフローの前記第２の断片量を決定することは、動的に、ある時間期間の間、または前記ＵＥからの報告の受信に少なくとも部分的に基づいて実行される、請求項１に記載の方法。
【請求項１３】
前記第２の通信リンクのチャネル品質がしきい値未満であるとき、または前記第２の通信リンクのために最低の変調／コーディング方式（ＭＣＳ）を選択することができないとき、前記第１のデータフローの前記第１の断片量の前記決定は１であり、前記第１のデータフローの前記第２の断片量の前記決定は０である、請求項１に記載の方法。
【請求項１４】
ワイヤレス通信のためのｅＮＢであって、
第１の無線アクセス技術（ＲＡＴ）を使用して第１の通信リンクを介してユーザ機器（ＵＥ）にサービスされるべき第１のデータフローの第１の断片量を決定するための手段と、
第２のＲＡＴを使用して第２の通信リンクを介して前記ＵＥにサービスされるべき前記第１のデータフローの第２の断片量を決定するための手段と、
前記第１の通信リンクを使用して前記ＵＥに前記第１のデータフローの前記第１の断片量をサービスするための手段と
を備える、ｅＮＢ。
【請求項１５】
ｅＮＢによって、第１の無線アクセス技術（ＲＡＴ）を使用して第１の通信リンクを介してユーザ機器（ＵＥ）にサービスされるべき第１のデータフローの第１の断片量を決定することと、
前記ｅＮＢによって、第２のＲＡＴを使用して第２の通信リンクを介して前記ＵＥにサービスされるべき前記第１のデータフローの第２の断片量を決定することと、
前記ｅＮＢによって、前記第１の通信リンクを使用して前記ＵＥに前記第１のデータフローの前記第１の断片量をサービスすることと
を行うためのコードを備える、コンピュータプログラム。
【手続補正２】
【補正対象書類名】明細書
【補正対象項目名】０１２３
【補正方法】変更
【補正の内容】
【０１２３】
[00130]以上の説明は、本明細書で説明された様々な態様を当業者が実施することを可能にするために与えられた。これらの態様に対する様々な変更は当業者には容易に明らかになり、本明細書で定義した一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように別段に明記されていない限り、「唯一無二の」を意味するものではなく、「１つまたは複数の」を意味するものである。「例示的」という単語は、本明細書では「例、事例、または例示として機能すること」を意味するために使用される。本明細書において「例示的」として説明されている何らかの態様は、必ずしも他の態様よりも好ましい、または他の態様よりも有利な態様として解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、任意のそのような組合せは、Ａ、Ｂ、またはＣの１つまたは複数のメンバーを含んでいることがある。当業者に知られているかまたは後で当業者に知られるようになる、本開示全体にわたって説明する様々な態様の要素に対するすべての構造的等価物および機能的等価物は、参照により本明細書に明確に組み込まれ、特許請求の範囲によって包含されるものである。その上、本明細書で開示されたいかなることも、そのような開示が特許請求の範囲に明示的に列挙されているかどうかにかかわらず、公に供するものではない。いかなるクレーム要素も、その要素が「ための手段」という語句を使用して明確に列挙されていない限り、ミーンズプラスファンクションとして解釈されるべきではない。
以下に本願の出願当初の特許請求の範囲に記載された発明を付記する。
[Ｃ１]  ワイヤレス通信の方法であって、
第１の無線アクセス技術（ＲＡＴ）を使用して第１の通信リンクを介してユーザ機器（ＵＥ）にサービスされるべき第１のデータフローの第１の断片量を決定することと、
第２のＲＡＴを使用して第２の通信リンクを介して前記ＵＥにサービスされるべき前記第１のデータフローの第２の断片量を決定することと、
前記第１の通信リンクを使用して前記ＵＥに前記第１のデータフローの前記第１の断片量をサービスすることとを備える、方法。
[Ｃ２]  前記第１のデータフローの前記第１の断片量または前記第１のデータフローの前記第２の断片量のうちの少なくとも１つが、構成または最適化関数に基づいて決定される、Ｃ１に記載の方法。
[Ｃ３]  前記最適化関数が、
データフローの通信リンクへの割当て、
前記第１のＲＡＴおよび前記第２のＲＡＴの各々のチャネル状態、
前記第１のＲＡＴおよび前記第２のＲＡＴの各々のトラフィック状態、
前記第１のＲＡＴおよび前記第２のＲＡＴのリソース、
前記第１の通信リンクおよび前記第２の通信リンクのチャネル負荷、または
前記第１の通信リンク上のデータレートおよびレイテンシと前記第２の通信リンク上のデータレートおよびレイテンシとの間の差のうちの少なくとも１つに基づいている、Ｃ２に記載の方法。
[Ｃ４]  前記第１のＲＡＴを使用して前記第１の通信リンクを介して前記ＵＥとの間で前記第１のデータフローに関する制御情報を送信および受信すること、または
前記第２のＲＡＴを使用して前記第２の通信リンクを介して前記ＵＥとの間で前記第１のデータフローに関する前記制御情報を送信および受信することをさらに備える、Ｃ１に記載の方法。
[Ｃ５]  前記制御情報が、第１および第２の通信リンクの各々の上での断片送信の構成のための無線リソース制御（ＲＲＣ）メッセージ、無線リンク制御（ＲＬＣ）メッセージ、およびパケットデータ圧縮プロトコル（ＰＤＣＰ）ステータスメッセージのうちの少なくとも１つを備える、Ｃ４に記載の方法。
[Ｃ６]  前記第１のＲＡＴを使用して前記第１の通信リンクを介して前記ＵＥから前記第１のデータフローに関するフィードバック情報を受信すること、
前記第２のＲＡＴを使用して前記第２の通信リンクを介して前記ＵＥから前記第１のデータフローに関する前記フィードバック情報を受信すること、
前記第２のＲＡＴから前記第１のデータフローに関する前記フィードバック情報を受信することをさらに備える、Ｃ１に記載の方法。
[Ｃ７]  前記フィードバック情報が、ＵＥ測定値と第２のＲＡＴ測定値とを含む少なくとも１つのフィードバックメッセージを備える、Ｃ６に記載の方法。
[Ｃ８]  前記第１のデータフローの前記第１および第２の断片量が、ベアラ間の比例公平性を使用し得る、システム利用量の最適化に基づいている、Ｃ１に記載の方法。
[Ｃ９]  前記第１のＲＡＴを使用して前記第１の通信リンクを介して前記ＵＥによって送信されるべき前記第２のデータフローの第３の断片量を決定することと、
前記第２のＲＡＴを使用して前記第２の通信リンクを介して前記ＵＥによって送信されるべき前記第２のデータフローの第４の断片量を決定することと、
前記第１の通信リンクを介して前記ＵＥから前記第２のデータフローの前記第３の断片量を受信することとをさらに備える、Ｃ１に記載の方法。
[Ｃ１０]  前記第１のデータフローがダウンリンクトラフィックを備え、前記第２のデータフローがアップリンクトラフィックを備える、Ｃ９に記載の方法。
[Ｃ１１]  チャネル品質がしきい値未満であるかどうかを決定することと、
前記チャネル品質が前記しきい値未満であるとき、前記決定された第１、第２、第３、および第４の断片量を更新することとをさらに備える、Ｃ９に記載の方法。
[Ｃ１２]  前記第１のデータフローの前記第１および第２の断片量の前記決定を周期的に評価することをさらに備える、Ｃ１に記載の方法。
[Ｃ１３]  前記第２のデータフローの前記第３および第４の断片量の前記決定を周期的に評価することをさらに備える、Ｃ９に記載の方法。
[Ｃ１４]  前記第１のデータフローの前記第１および第２の断片量と前記第２のデータフローの前記第３および第４の断片量との前記決定を評価することは、
前記第１および第２の両通信リンク上でサービスされるベアラに関して前記第１のＲＡＴと前記第２のＲＡＴとの間の有効データレートおよびレイテンシの差を最適化すること、
禁止タイマーが動作しているとき、前記第１のデータフローの前記決定された第１および第２の断片量、または前記第２のデータフローの前記決定された第３および第４の断片量の適用を回避すること、または
データフローに関する断片的割振り変更の数がある時間内にしきい値を超えるとき、前記第１のデータフローの前記決定された第１および第２の断片量の適用を回避し、前記第２のデータフローの前記決定された第３および第４の断片量の適用を回避することのうちの少なくとも１つを備える、Ｃ１２に記載の方法。
[Ｃ１５]  前記ＵＥにメッセージを送信することをさらに備える方法であって、ここにおいて、前記メッセージが、前記第１のＲＡＴを使用して前記第１の通信リンクを介して前記第２のデータフローの前記第３の断片量を送信し、前記第２のＲＡＴを使用して前記第２の通信リンクを介して前記第２のデータフローの前記第４の断片量を送信するように前記ＵＥを構成する、Ｃ９に記載の方法。
[Ｃ１６]  前記第１および第２の通信リンクのために維持されるトークンバケット機構に基づいて、または分割確率に基づいて、前記第１のデータフローの前記決定された第１および第２の断片量と、前記第２のデータフローの前記決定された第３および第４の断片量とを実装することをさらに備える、Ｃ１に記載の方法。
[Ｃ１７]  前記第１のデータフローの前記第１の断片量を決定すること、または前記第１のデータフローの前記第２の断片量を決定することは、前記ＵＥからの報告に少なくとも部分的に基づいている、Ｃ１に記載の方法。
[Ｃ１８]  前記第１のデータフローの前記第１の断片量を決定すること、または前記第１のデータフローの前記第２の断片量を決定することは、ある時間期間の間、または前記ＵＥからの報告の受信に少なくとも部分的に基づいて動的に実行される、Ｃ１に記載の方法。
[Ｃ１９]  前記第２の通信リンクのチャネル品質がしきい値未満であるとき、または前記第２の通信リンクのために最低の変調／コーディング方式（ＭＣＳ）を選択することができないとき、前記第１のデータフローの前記第１の断片量の前記決定は１であり、前記第１のデータフローの前記第２の断片量の前記決定は０である、Ｃ１に記載の方法。
[Ｃ２０]  ワイヤレス通信のための装置であって、
第１の無線アクセス技術（ＲＡＴ）を使用して第１の通信リンクを介してユーザ機器（ＵＥ）にサービスされるべき第１のデータフローの第１の断片量を決定するための手段と、
第２のＲＡＴを使用して第２の通信リンクを介して前記ＵＥにサービスされるべき前記第１のデータフローの第２の断片量を決定するための手段と、
前記第１の通信リンクを使用して前記ＵＥに前記第１のデータフローの前記第１の断片量をサービスするための手段とを備える、装置。
[Ｃ２１]  前記第１のデータフローの前記第１の断片量または前記第１のデータフローの前記第２の断片量のうちの少なくとも１つが、
構成、または
データフローの通信リンクへの割当て、
前記第１のＲＡＴおよび前記第２のＲＡＴの各々のチャネル状態、
前記第１のＲＡＴおよび前記第２のＲＡＴの各々のトラフィック状態、
前記第１のＲＡＴおよび前記第２のＲＡＴのリソース、
前記第１の通信リンクおよび前記第２の通信リンクのチャネル負荷、もしくは
前記第１の通信リンク上のデータレートおよびレイテンシと前記第２の通信リンク上のデータレートおよびレイテンシとの間の差
のうちの少なくとも１つに基づいた最適化関数に基づいて決定される、Ｃ２０に記載の装置。
[Ｃ２２]  前記第１のＲＡＴを使用して前記第１の通信リンクを介して前記ＵＥとの間で前記第１のデータフローに関する制御情報を送信および受信するための手段、または
前記第２のＲＡＴを使用して前記第２の通信リンクを介して前記ＵＥとの間で前記第１のデータフローに関する前記制御情報を送信および受信するための手段をさらに備える、Ｃ２０に記載の装置。
[Ｃ２３]  前記第１のＲＡＴを使用して前記第１の通信リンクを介して前記ＵＥから前記第１のデータフローに関するフィードバック情報を受信するための手段、
前記第２のＲＡＴを使用して前記第２の通信リンクを介して前記ＵＥから前記第１のデータフローに関するフィードバック情報を受信するための手段、または
前記第２のＲＡＴから前記第１のデータフローに関する前記フィードバック情報を受信するための手段をさらに備える、Ｃ２０に記載の装置。
[Ｃ２４]  前記第１のＲＡＴを使用して前記第１の通信リンクを介して前記ＵＥによって送信されるべき前記第２のデータフローの第３の断片量を決定するための手段と、
前記第２のＲＡＴを使用して前記第２の通信リンクを介して前記ＵＥによって送信されるべき前記第２のデータフローの第４の断片量を決定するための手段と、
前記第１の通信リンクを介して前記ＵＥから前記第２のデータフローの前記第３の断片量を受信するための手段とをさらに備える、Ｃ２０に記載の装置。
[Ｃ２５]  チャネル品質がしきい値未満であるかどうかを決定するための手段と、
前記チャネル品質が前記しきい値未満であるとき、前記決定された第１、第２、第３、および第４の断片量を更新するための手段とをさらに備える、Ｃ２４に記載の装置。
[Ｃ２６]  前記第１のデータフローの前記第１および第２の断片量の前記決定を周期的に評価するための手段をさらに備える、Ｃ２０に記載の装置。
[Ｃ２７]  前記ＵＥにメッセージを送信するための手段をさらに備える装置であって、ここにおいて、前記メッセージが、前記第１のＲＡＴを使用して前記第１の通信リンクを介して前記第２のデータフローの前記第３の断片量を送信し、前記第２のＲＡＴを使用して前記第２の通信リンクを介して前記第２のデータフローの前記第４の断片量を送信するように前記ＵＥを構成する、Ｃ２４に記載の装置。
[Ｃ２８]  前記第１および第２の通信リンクのために維持されるトークンバケット機構に基づいて、または分割確率に基づいて、前記第１のデータフローの前記決定された第１および第２の断片量と、前記第２のデータフローの前記決定された第３および第４の断片量とを実装するための手段をさらに備える、Ｃ２０に記載の装置。
[Ｃ２９]  ワイヤレス通信のための装置であって、
メモリと、
第１の無線アクセス技術（ＲＡＴ）を使用して第１の通信リンクを介してユーザ機器（ＵＥ）にサービスされるべき第１のデータフローの第１の断片量を決定することと、
第２のＲＡＴを使用して第２の通信リンクを介して前記ＵＥにサービスされるべき前記第１のデータフローの第２の断片量を決定することと、
前記第１の通信リンクを使用して前記ＵＥに前記第１のデータフローの前記第１の断片量をサービスすることと
を行うように構成される、前記メモリに結合された少なくとも１つのプロセッサとを備える、装置。
[Ｃ３０]  第１の無線アクセス技術（ＲＡＴ）を使用して第１の通信リンクを介してユーザ機器（ＵＥ）にサービスされるべき第１のデータフローの第１の断片量を決定することと、
第２のＲＡＴを使用して第２の通信リンクを介して前記ＵＥにサービスされるべき前記第１のデータフローの第２の断片量を決定することと、
前記第１の通信リンクを使用して前記ＵＥに前記第１のデータフローの前記第１の断片量をサービスすることと
を行うためのコードを備える、コンピュータ可読媒体を備える、コンピュータプログラム製品。